(57)【特許請求の範囲】
【請求項１】
電池電源を供給する電池部と、器具への指示信号を入力操作する操作部と、器具の設定状態、運転状態及び操作内容の報知を行う報知部と、電気信号を電波信号に変換送信し且つ受信した電波信号を電気信号に変換する無線送受信部と、前記電池部の電池電圧を検出して電池切れ直前に前記無線送受信部に電気信号を出力し、前記無線送受信部より固有の認識信号と同時に電池切れ信号を送信するとともに、前記操作部の入力操作を信号として受信する複数のリモコンと、前記無線送受信部からの信号を器具本体制御部へ出力し且つ前記器具本体制御部からの信号を無線送受信部へ出力するとともに、前記複数の無線リモコンのうち少なくとも１台が電池切れになった時に給湯温度設定を高温から低温へ変更させる信号を前記器具本体制御部へ出力する通信ユニットとを備え、前記通信ユニットは、固有の認識信号と同時に送信された電池切れ信号を受信したとき、前記送信された固有の認識信号以外の他の無線リモコンに対して高温側への給湯温度設定の変更を受付禁止状態とする、及び高温側への変更受付禁止状態であることを表示する、ように指示する給湯器の制御装置。
【請求項２】
無線リモコンが電池切れ時に、固有の認識信号と同時に送信された電池切れ信号を受信した通信ユニットが、前記送信された固有の認識信号以外の別の無線リモコンに、電池切れリモコンの情報を送信し、電池切れになっていない別の無線リモコンが報知部により、電池切れリモコンの情報を報知する請求項１記載の給湯器の制御装置。
【発明の詳細な説明】
【０００１】
【産業上の利用分野】
本発明は、電波で器具本体と通信する遠隔操作器としての無線リモコンを備えた給湯器の制御装置に関するものである。
【０００２】
【従来の技術】
従来、無線リモコンは、電源としての電池が減少してくると電池切れ表示をリモコンに表示し、さらに電池が減少するとリモコン操作が不可能になった。しかし、この場合でも他のリモコンを他に備えていればそのリモコンで通常通り器具の操作をすることが出来たが、１台の器具で複数の無線リモコンを備えた給湯器は従来なかった。
【０００３】
【発明が解決しようとする課題】
しかし、複数個の無線リモコンを給湯器に使用する場合、高温設定（例えば７５℃）の状態で１台のリモコンが電池切れになったとき、電池切れリモコンを使用していた場所では表示ができなくなるので温度を確認できず、高温設定でない状態であっても他の操作可能なリモコンで高温設定に変更されると、そのまま気付かずに使用してしまう可能性があるという課題があった。
【０００４】
本発明は上記課題を解決するもので、最低どれか１台のリモコンが電池切れとなった場合、高温設定の給湯温度を低温設定に変更し、電池切れリモコン使用場所での安全性をより向上することを第１の目的とする。
【０００５】
第２の目的は、最低どれか１台のリモコンが電池切れとなった場合、他の操作可能なリモコンで高温設定ができなくすることにより、電池切れリモコンを使用していた場所での安全性を確保することにある。
【０００６】
また第３の目的は、高温設定ができなくなったリモコンの状態を表示または音声報知することで使用者に器具の異常動作でないことを認識してもらうことにある。
【０００７】
そして第４の目的は、電池切れとなったリモコンがどのリモコンであるかを他のリモコンに報知することにより電池切れ情報をどこでも知れて認識しやすくし、電池の早期交換を促すことにある。
【０００８】
【課題を解決するための手段】
上記の目的を達成するために、本発明による給湯器の制御装置は、電池電源を供給する電池部と、器具への指示信号を入力操作する操作部と、器具の設定状態、運転状態及び操作内容の報知を行う報知部と、電気信号を電波信号に変換送信し且つ受信した電波信号を電気信号に変換する無線送受信部と、前記電池部の電池電圧を検出して電池切れ直前に前記無線送受信部に電気信号を出力し、前記無線送受信部より固有の認識信号と同時に電池切れ信号を送信するとともに、前記操作部の入力操作を信号として受信する複数のリモコンと、前記無線送受信部からの信号を器具本体制御部へ出力し且つ前記器具本体制御部からの信号を無線送受信部へ出力するとともに、前記複数の無線リモコンのうち少なくとも１台が電池切れになった時に給湯温度設定を高温から低温へ変更させる信号を前記器具本体制御部へ出力する通信ユニットとを備え、前記通信ユニットは、固有の認識信号と同時に送信された電池切れ信号を受信したとき、前記送信された固有の認識信号以外の他の無線リモコンに対して高温側への給湯温度設定の変更を受付禁止状態とする、及び高温側への変更受付禁止状態であることを表示する、ように指示するものである。
【００１１】
また、無線リモコンが電池切れ時に、電池切れ信号を受信した通信ユニットが電池切れになっていない別の無線リモコンに電池切れリモコンの情報を送信し、電池切れになっていない別の無線リモコンが報知部により電池切れリモコンの情報を報知する機能を備えたものである。
【００１２】
【作用】
上記手段により本発明の給湯器の制御装置は、給湯温度が高温設定中に無線リモコンの最低１台が電池切れとなった場合、高温設定していた場合には低温設定に変更させることにより電池切れリモコン使用場所での安全性が保障される。
【００１３】
また、最低１台のリモコンが電池切れとなった場合、自身では勿論のこと、他の操作可能なリモコンでも高温設定ができなくすることにより、電池切れのリモコンのある給湯場所での安全性を確保することができる。
【００１４】
また、高温設定ができなくなったリモコンの状態を表示または音声報知することで使用者に器具の異常動作でないことを認識してもらうことができる。
【００１５】
そして、電池切れとなったリモコンがどのリモコンであるかを他のリモコンで報知することにより電池切れ情報をどの給湯箇所でも知れて認識しやすくし、電池の早期交換を促すことができる。
【００１６】
【実施例】
以下、本発明の給湯器の制御装置の実施例について、図面を参照しながら説明する。
【００１７】
図１は、本発明の一実施例としての給湯器用制御装置の構成図であり、図２はその内部回路図である。
【００１８】
図１に示すように本発明の制御装置は、無線リモコンＡ１と無線リモコンＢ２と通信ユニット３で構成されており（無線リモコンが３台以上ももちろん可能である）、通信ユニット３は器具４に取り付け、器具本体内で器具４の動作を制御する本体制御部５と接続されている。また、無線リモコンＡ１と無線リモコンＢ２にはそれぞれ、器具４への指示信号を入力操作する操作部６，７、器具の設定状態、運転状態及び操作内容の表示を行う表示部８，９、信号を音波として出力できる音響出力部１０，１１を備えている。
【００１９】
図２に示すように無線リモコンＡ１と無線リモコンＢ２は同じ回路構成となっている。それぞれリモコンの動作を制御するＩＣ１２，１３を持ち、電池１４，１５を電源としながらその電池１４，１５の電圧も常に監視している。そしてこのＩＣ１２，１３は、電気信号と電波信号の変換器である無線送受信部１６，１７をコントロールし、操作部６，７からの信号を受け付け、表示部８，９へ信号を出力する。また、通信ユニット３は、本体制御部５と信号の送受を行うＩＣ１８と無線送受信部１９（無線リモコンＡ１、無線リモコンＢ２に内蔵のものと同一）を持ち、ＩＣ１８は無線送受信部１９をコントロールする。
【００２０】
次に上記構成における動作を説明する。
無線リモコンＡ１の電池電圧が減少し、無線リモコンＡ１と通信ユニット３が送受信可能な限界電圧（例えば３．６Ｖ）になったことを無線リモコンＡ１の内蔵ＩＣ１２が検出すると、このＩＣ１２は無線送受信部１６を介して電池切れ信号を通信ユニット３へ送り（この後、無線リモコンＡ１は表示を停止する）、通信ユニット３の内蔵ＩＣ１８は無線送受信部１９を介してこの信号を受け取る。そしてこの時、器具４の温度設定が高温設定（例えば７５℃）であれば、ＩＣ１８は本体制御部５へ低温（例えば４５℃以下）への温度変更の信号を出力し、これを受け取った本体制御部５は給湯温度を低温へ変更するよう器具４をコントロールする。
【００２１】
また電池切れ信号を受け取ったＩＣ１８は、無線送受信部１９を介して無線リモコンＢ２へ電池切れ情報を送信し、これを無線送受信部１７を介して受け取ったＩＣ１３は以後の操作部７からの高温設定を受け付けなくなる。
【００２２】
さらに、電池切れ情報を受け取ったＩＣ１３は、操作部７からの高温への設定を受け付けなくなったことを表示部９に表示したり、音響出力部１１を使ってブザー音や音声合成などにより報知したりする。もちろんＬＥＤ等を利用してもよい。
【００２３】
無線リモコンＡ１が電池切れ信号を送信する際、リモコン固有の認識信号（データでも番号でもなんでもよい）を同時に送信することで、通信ユニット３を介してその情報を受け取った無線リモコンＢ２は、表示部９に無線リモコンＡ１が電池切れであることも表示する。
【００２４】
以上のように本実施例によれば、無線リモコンの１台が電池切れとなった場合、給湯温度が高温設定なら低温設定へ変更することができ、また電池切れになっていない他の無線リモコンでの高温設定を禁止し、その状態を使用者に知らせることができる。さらに、どの無線リモコンが電池切れであるかも表示することができる。そして、どれか１つでも電池切れすると、高温設定できない不便を強制するから、早目に電池を交換する動作を期待でき、安全性を保障する。
【００２５】
【発明の効果】
以上の説明から明らかなように、本発明の給湯器の制御装置は、無線リモコンが電池切れとなった場合、無線リモコンからの電池切り信号を受け取った通信ユニットが給湯温度を高温設定から低温へと変更することで、電池切れリモコン使用場所で表示が確認できない状態での安全性が保障される。
【００２６】
また、電池切れしていない給湯温度設定の操作可能なリモコンでの高温設定を禁止することにより、電池切れリモコンを使用して給湯温度設定の表示がない場所での高温給湯のない安全性を確保することができる。
【００２７】
また、高温設定ができなくなったリモコンの状態を表示又は音声報知することで、使用者は高温設定できない理由が器具の異常動作でないことを認識できる。
【００２８】
そして、電池切れとなったリモコンがどのリモコンであるかを他のリモコンに表示することにより電池切れ情報を認識しやすくし、電池の早期交換を促すという効果を期待できる。
【図面の簡単な説明】
【図１】（ａ）本発明の実施例における給湯器の制御装置の無線リモコンの構成図
（ｂ）同装置の別の無線リモコンの構成図
（ｃ）同装置と通信ユニットとの関係を示す構成図
【図２】（ａ）本発明の実施例における給湯器の制御装置の内部回路図
（ｂ）同装置の別の内部回路図
（ｃ）同装置の通信ユニットの内部構成図
【符号の説明】
１  無線リモコンＡ
２  無線リモコンＢ
３  通信ユニット
４  器具
５  本体制御部
６，７  操作部
８，９  表示部
１０，１１  音響出力部
１２，１３  （リモコン内蔵）ＩＣ
１４，１５  電池
１６，１７  （リモコン内蔵）無線送受信部
１８  （通信ユニット内蔵）ＩＣ
１９  （通信ユニット内蔵）無線送受信部
【図１】
0003738463.tif 000002
【図２】
0003738463.tif 000003